(57)【要約】【課題】ロック解放時に係合用のフックが鍵操作部収納ボックスから突出しないようなロック装置を得る。【解決手段】図において、２１は例えばかばんの収納部に取り付けられた鍵収納部の収納ボックス、２２はかばんの蓋部に取り付けられた係止体を示す。フック４０は回転軸４５によって、収納ボックス２１に常時は時計方向に付勢されるように取り付けられ、ロック時はその先端の係合部４１において、係止体２２と係合されている。ロック解放時には、スライダ３０をスライダ用ばね３３に抗して矢印Ｒの如く右方に押すと、フック４０の突起４４とスライダ３０の押圧面３２とが係合しているので、フックは反時計方向に回動し、係止体との係合が外れるとともに、フック４０も収納ボックス２１中に入り込み、外部に突出しない。解放時にはストッパ５０がストッパ用ばね５５によって上方に回動し、フックの時計方向の回動を阻止する。【選択図】    図８
2004300889.tif 000002
【特許請求の範囲】
【請求項１】
ロック装置において、ロック装置の収納ボックス内に、
相手側部材に取り付けられた係止体との係合位置に向かって回動するように付勢されている係止用フックと、
ロック解放時には上記係止用フックを前記収納ボックス内の開放位置まで回動させるスライダと、
前記係止用フックを収納ボックス内の開放位置に係止するためのストッパとが併設されている構成となっていることを特徴とするロック装置。
【発明の詳細な説明】
【０００１】
【発明の属する技術分野】
この発明は、アタッシュケースのようなかばん類、楽器などのケース、各種の運搬用ボックス、ドアや窓などの施錠システム等の広い範囲に利用しうるロック装置に関する。
【０００２】
【従来の技術と問題点】
従来のロック装置の一例として、かばん錠を図３に示せば、かばんの蓋部１にフック４が固定され、収納部２に鍵操作部５が設けられている。３はかばんのハンドルを示している。蓋部１を閉めると、フック４は収納部２内に設けられている係止部と係合するようになっている。
【０００３】
このように従来のロック装置では、ロックの解放時に、図示の如くフック４がむき出しに露出しているので、書類とか楽器とか、その他種々の収納物が出し入れの際にフックに引っ掛かって破損の恐れがあり、又その際手がフック４に引っ掛かり怪我をすることもあるという欠点を免れなかった。
【０００４】
【この発明が解決すべき課題】
そこでこの発明では、かばん類、楽器ケース、各種の搬送用ボックス、ドアや窓などの施錠システムなど色々な目的に使用されるロック装置において、ロック解放時にはフックがロック装置のフレーム内に入りこんでいて外方に突出しないように構成して、突出しているフックによる収納物の破損や手の怪我を防ぐとともに、ロックの施錠と解放をワンタッチで行えるようなロック装置を得ることをその目的としている。
【０００５】
【課題を解決するための手段】
この発明は前記の課題を解決するために、「ロック装置において、ロック装置の収納ボックス内に、
相手側部材に取り付けられた係止体との係合位置に向かって回動するように付勢されている係止用フックと、
ロック解放時には上記係止用フックを前記収納ボックス内の開放位置まで回動させるスライダと、
前記係止用フックを収納ボックス内の開放位置に係止するためのストッパとが併設されている構成となっていることを特徴とするロック装置。」を得たものである。
【０００６】
【実施例】
図１はこの発明の一実施例としてアタッシュケースのようなかばんに適用したところを示す正面図であって、１０はかばん、１は蓋部、２は収納部、３はかばんのハンドル、２０は鍵操作部、７は蓋部上面、８はかばん収納部２の前面壁部をそれぞれ示している。
【０００７】
図２はかばん１０を開けたところを示す斜視図、図４は鍵操作部２０のたて断面図、図５は図４のＸ−Ｘ断面図であって、図４、図５はかばんを閉め、ロックされている状態を示している。図示の如く、ロック状態では係止用フック４０がその係合部４１において、蓋部１に取り付けた係止体２２と係合し蓋部１をロックしている。フック４０はスライダ３０と組み合わされている。スライダ３０は鍵操作部２０を収めた収納ボックス２１内において、スライダ用ばね３３によって常時は図の左方に付勢されている。
【０００８】
図１２はスライダ３０の側面図、図１３は図１２をＦ方向からみた端面図、図１４は図１２をＤ方向からみた下面図、図１５は係止用フック４０の側面図、図１６は図１５をＫ方向からみた端面図をそれぞれ示すもので、スライダの外方面３４は図１、図２に示すように、鍵操作部２０の収納ボックス２１から外側に露出しており、外方面３４には指をかけてスライダを押せるように操作用凹部３１が形成されている。
【０００９】
係止用フック４０はその回転軸４５において収納ボックス２１に取り付けられ、常時は図４に示すロック方向に回動するように付勢されている。又係止用フック４０には押圧突起４４が形成されていて、スライダの押圧面３２と係合している。
【００１０】
ロックを解放するときは、前述の如くかばんの前面壁部８に露出しているスライダ３０の操作凹部３１に指をかけ、スライダ３０をスライダ用ばね３３に抗して図の右方に押圧する。（図４以下の図は図３の右側の鍵操作部に対応している。）図６はスライダ３０をＲ方向に少し押したときの状態の断面図、図７は図６のＸ−Ｘ断面図、図８はスライダ３０を右方に最後まで押した状態の断面図、図９は図８のＸ−Ｘ断面図、図１０は図２に示すように蓋部１が開いている時の状態の断面図、図１１は図１０のＸ−Ｘ断面図をそれぞれ示すもので、係止用フック４０の突起４４とスライダ３０の押圧面３２とが係合しているので、スライダ３０を右方向に押すにしたがって、係止用フック４０を反時計方向の矢印Ｓの方向に回動させ、係止用フック４０の先端の係合部４１を蓋部１に取り付けられている係止体２２との係合から外す。尚図８はスライダ３０を右方に押し切っているがまだ指は離していない時の状態、図１０は指を離し、かつ蓋部も開いた図２の状態をそれぞれ示すもので、図１０ではスライダ３０はスライダ用ばね３３に押されてもとの左側の位置まで戻っている。図１０、図１１において、Ａ−Ｂはかばんの収納部２の上面をＧ−Ｈは蓋部１の下面をそれぞれ表している。
【００１１】
図４ないし図１１において、５０はストッパを示している。図１７はストッパ５０の側面図、図１８は図１７をＥ方向からみた端面図であって、ストッパ５０はそのアーム部５１に形成された突起５２が係止用フック４０の側面に形成されている円弧状の溝４２と係合している。５３はアーム部５１が収納ボックス２１に回動可能に取り付けられる軸孔である。
【００１２】
この発明のロック装置の鍵操作部２０は前記の如き構成であるから、ロック状態である図４の状態からスライダ３０を図の右方向（矢印Ｒの方向）に動かせばスライダ３０の押圧面３２が係止用フック４０の突起４４を押すので係止用フック４０は反時計方向（矢印Ｓの方向）に回動し、図６の状態を経て図８の状態に達する。そうすれば係止用フック４０の係合部４１は蓋部１に取り付けられた係止体２２との係合が完全に外れ、同時に係止用フック４０自体は図２、図８に示すように収納ボックス２１内に入りこんで図８の収納部の上面を示すＡ−Ｂ線からは突出しない。これは換言すれば図２において、係止用フック４０はかばん１０の収納部２の上面７から外に突出しない。
【００１３】
ストッパ５０は前記の如く軸孔５３のところで回動可能に収納ボックス２１に取り付けられストッパ用ばね５５で常時上方に（即ちストッパ５０を時計方向に回動させるように）付勢されている。そしてストッパ側面の突起５２はフック４０の側面の円弧状の溝４２と係合しているので、係止用フック４０が反時計方向に回動すると、ストッパ５０の突起５２と係合したまま溝４２も反時計方向に回動し、係止用フック４０が反時計方向に廻り切った図８の状態まで来ると、ストッパ５０の突起５２と係止用フック４０の溝４２の端部の貫通孔４３とが合致するので、ストッパ用ばね５５に付勢されてアーム部５１が軸孔５３を中心として時計方向に回動し、突起５２が貫通孔４３に入りこみ、図１０に示すように、スライダ３０の操作凹部３１から指をはなし、スライダ３０がスライダ用ばね３３によってもとの位置に戻っても、フック４０は時計方向の回動が、貫通孔４３と突起５２との係合によって阻止され、フック４０は図８、図１０等に示す収納ボックス２１内の開放位置に係止されている。
【００１４】
同時にストッパー５０のアーム部５１の先端は開放位置において、一部分が収納ボックス２１から突出するように押圧部５４として形成されている。かばんを閉めるとき、蓋部１に取り付けてある係止体２２の底面２３が押圧部５４を押し、ストッパ用ばね５５に抗してアーム部５１を反時計方向に回動させるのでストッパ５０の突起５２が係止用フック４０の貫通孔４３から外れ、係止用フック４０は時計方向（図８の矢印Ｃ方向）に回動し、先端の係合部４１が蓋部１に取り付けられた係止体２２と係合するので、ロック装置をワンタッチでロックすることができる。
【００１５】
なお図４以下の説明は図２における右側の鍵操作部２０についてなされているが、左側の鍵操作部についても、向きが反対であるのみで、その構成、作動は全く同じである。
【００１６】
【発明の効果】
この発明のロック装置は前記の如き構成であって、ロック解放時に、フックが鍵操作部の収納ボックスから突出しないので、収納物の出し入れ時にフックに引っ掛かって破損することがなく、又手などに怪我をする恐れもない。さらにロック装置のロックや解放をワンタッチで行うことができる。
【図面の簡単な説明】
【図１】この発明を適用したかばんの説明図
【図２】かばんを開いたところを示す斜視図
【図３】従来のロック装置を有するかばんを示す図
【図４】ロック状態の鍵操作部のたて断面図
【図５】図４のＸ−Ｘ断面図
【図６】ロック解放途中の図４と同様な断面図
【図７】図６のＸ−Ｘ断面図
【図８】ロック解放後の図４と同様な断面図
【図９】図８のＸ−Ｘ断面図
【図１０】かばんを開いている時の状態を示す図４と同様な断面図
【図１１】図１０のＸ−Ｘ断面図
【図１２】スライダ側面図
【図１３】図１２をＦ方向からみた端面図
【図１４】図１２をＤ方向からみた下面図
【図１５】フックの側面図
【図１６】図１５をＫ方向からみた端面図
【図１７】ストッパの側面図
【図１８】図１７をＥ方向からみた端面図
【符号の説明】
１    蓋部
２    収納部
３    ハンドル
４    フック
５    鍵操作部
６    蓋部の下面
７    収納部の上面
８    かばん前面壁部
１０    かばん
２０    鍵操作部
２１    収納ボックス
２２    蓋部に取り付けた係止体
２３    係止体の底面
３０    スライダ
３１    操作凹部
３２    押圧面
３３    スライダ用ばね
３４    スライダ外方面
４０    係止用フック
４１    係合部
４２    円弧状溝
４３    貫通孔
４４    押圧突起
４５    回転軸
５０    ストッパ
５１    アーム部
５２    突起
５３    軸孔
５４    押圧部
５５    ストッパ用ばね
【図１】
2004300889.tif 000003
【図２】
2004300889.tif 000004
【図３】
2004300889.tif 000005
【図４】
2004300889.tif 000006
【図５】
2004300889.tif 000007
【図６】
2004300889.tif 000008
【図７】
2004300889.tif 000009
【図８】
2004300889.tif 000010
【図９】
2004300889.tif 000011
【図１０】
2004300889.tif 000012
【図１１】
2004300889.tif 000013
【図１２】
2004300889.tif 000014
【図１３】
2004300889.tif 000015
【図１４】
2004300889.tif 000016
【図１５】
2004300889.tif 000017
【図１６】
2004300889.tif 000018
【図１７】
2004300889.tif 000019
【図１８】
2004300889.tif 000020